(57)【要約】【課題】      蓋体が水流を受けて開かないようにした魚入れ容器を提供することである。【解決手段】  魚入れ容器の上側に閉じ蓋４が設けられて閉じ蓋４には魚を投入する投入口４ａが開口されて投入口４ａには内側から塞ぐように閉じ蓋４の内側に蓋体６、６が内側に開閉出来るように蝶番１２、１２で取り付けられて発条１３、１３で閉塞付勢され、蓋体６、６は前後方向の前側となる一端側に蝶番１２、１２の取付部６ａ、６ａが形成されて取付部６ａ、６ａ側の上面側に、上方に突出する突部６ｂ、６ｂが形成されて突部６ｂ、６ｂは中央側から周縁側へ下る湾曲面６ｃに形成され、突部６ｂ、６ｂの高さは投入口４ａの外壁の面４ｂから上方に突出しないように低く形成され、取付部６ａとは反対側の他端側に複数の通水孔６ｄ、６ｄが形成されている。【選択図】        図２
2009000033.tif 000002
【特許請求の範囲】
【請求項１】
魚の投入口と一端側が回動可能に枢着された前記投入口を閉塞するように付勢された蓋体を有する魚入れ容器において、前記蓋体は、その上面側に中心側から周縁側へ下がる湾曲面を有すると共に複数の通水孔が設けられていることを特徴とする魚入れ容器。
【請求項２】
蓋体の一端側に上方へ突出する突部を設け、蓋体の他端側に複数の通水孔が設けられていることを特徴とする請求項１記載の魚入れ容器。
【請求項３】
蓋体は、閉じたときに投入口より上方に突出しないことを特徴とする請求項１または２記載の魚入れ容器。
【発明の詳細な説明】
【技術分野】
【０００１】
本発明は、魚を入れて水の中につけておく魚入れ容器に関する。
【背景技術】
【０００２】
従来から鮎釣りなどおとりとして生きた魚を使用する場合に引き舟やおとり缶が使われ、また、釣った魚を生かしておくために魚を入れて水の中につけておくびくなどの魚入れ容器が使用されている。
このような魚入れ容器は、特許文献１のように容器内に魚を容易に収納できるように魚の投入口を有し、この投入口には一端側が回動可能に取り付けられ、閉塞方向に付勢された蓋体が取り付けられている。
ところが、魚入れ容器を水に浸けた場合、上記蓋体が水流を受けると閉塞方向に付勢された付勢力に抗して蓋体が開いてしまい、収容した魚が逃げ出してしまう虞があった。
また、引き舟等は特に流れに引き流しておくため水流を受けやすく、転覆すると、魚の近傍で投入口が開放され、水中側のより強い水圧が掛かるため大きく開いてしまいより魚が逃げやすくなる。
【特許文献１】実開昭６２−１５３８６１号公報
【発明の開示】
【発明が解決しようとする課題】
【０００３】
解決しようとする問題点は、魚入れ容器を水に浸けた場合、上記蓋体が水流を受けると閉塞方向に付勢された付勢力に抗して蓋体が開いてしまい、収容した魚が逃げ出してしまう虞があった。
また、引き舟等は特に流れに引き流しておくため水流を受けやすく、転覆すると、魚の近傍で投入口が開放され、水中側のより強い水圧が掛かるため大きく開いてしまいより魚が逃げやすくなることである。
【０００４】
本発明の目的は前記欠点に鑑み、蓋体が水流を受けて開かないようにした魚入れ容器を提供することである。
【課題を解決するための手段】
【０００５】
本発明の請求項１は、魚の投入口と一端側が回動可能に枢着された前記投入口を閉塞するように付勢された蓋体を有する魚入れ容器において、前記蓋体は、その上面側に中心側から周縁側へ下がる湾曲面を有すると共に複数の通水孔が設けられていることを要旨とするものである。
本発明の請求項２は、蓋体の一端側に上方へ突出する突部を設け、蓋体の他端側に複数の通水孔が設けられていることを要旨とするものである。
本発明の請求項３は、蓋体は、閉じたときに投入口より上方に突出しないことを要旨とするものである。
【発明の効果】
【０００６】
本発明の請求項により、蓋体は、その上面側に中央側から周縁側へ下る湾曲面を有し、蓋体に当たった水が周縁側に逃げるようになり、しかも、蓋体に複数の通水孔が設けられ、通水孔を通して魚入れ容器内に流入するため、蓋体を押圧する力が弱まって蓋体が不用意に開いて、収容した魚が逃げ出すことが防止される。
蓋体の回動可能な一端側に上方へ突出する突部を設けたため、回動側に水流を弱める突部を設けて蓋体に当たる水流を弱めることで蓋体の自由端となる他端側に強い水流が当たらなくなり蓋体が水流によって開いてしまうことが防止される。
蓋体は、閉じたときに投入口より上方に突出しないため投入口の開口に隠れて直接強い水流を受けないため不用意に蓋体が開き難い。
【発明を実施するための最良の形態】
【０００７】
魚入れ容器の上側に閉じ蓋４が容器本体１に開閉可能に設けられて閉じ蓋４には魚を投入する投入口４ａが開口されて投入口４ａには内側から塞ぐように閉じ蓋４の内側に蓋体６、６が内側に開閉出来るように蝶番１２、１２で取り付けられて発条１３、１３で閉塞付勢されている。
蓋体６、６は中央の前後方向の面を中心に左右対称的に形成されて前後方向の前側となる一端側に蝶番１２、１２の取付部６ａ、６ａが形成されている。
取付部６ａ、６ａ側の上面側に、上方に突出する突部６ｂ、６ｂが形成されて突部６ｂ、６ｂは中央側から周縁側へ下る湾曲面６ｃに形成されている。
即ち、突部６ｂ、６ｂは蓋体６、６の中央側が高く、前後左右が低くなるように形成され、且つ突部６ｂ、６ｂの高さは投入口４ａの外壁の面４ｂから上方に突出しないように低く形成されている。
取付部６ａとは反対側の他端側に複数の通水孔６ｄ、６ｄが形成されている。
【実施例１】
【０００８】
以下、図示の一実施例によって本発明を説明すると、図１は魚入れ容器の平面図、図２は魚入れ容器の蓋体の内側を示す断面正面図、図３は魚入れ容器の要部断面側面図、図４は魚入れ容器の閉じ蓋の拡大平面図である。
【０００９】
魚入れ容器の容器本体１は合成樹脂材等で略引き舟状に容器本体下側２と容器本体下側２の上に固定された容器本体上側３とで形成され、容器本体下側２の前壁と側壁に水取り入れ口２ａ、２ｂが穿設されて流水が流入される。
流入された水は容器本体上側３に形成された通路３ａを通して容器の後部に排出されている。
容器本体下側２と容器本体上側３の両側と前側には発泡樹脂等の浮力材１０が入れられて水に浮かぶ構成となっている。
容器本体上側３には魚を取り出す開口部３ｂが開口されて閉じ蓋４が蝶番５、５で取り付けられている。
蝶番５は図２のように容器本体上側３側に固定された板側に形成された筒部５ａと閉じ蓋４側に固定された板側に形成された筒部５ｂの対向する面に凹凸が形成されて発条１１で付勢されている。
【００１０】
閉じ蓋４には魚を投入する投入口４ａが開口されて投入口４ａには内側から塞ぐように閉じ蓋４の内側に蓋体６、６が内側に開閉出来るように蝶番１２、１２で取り付けられて発条１３、１３で閉塞付勢されている。
蓋体６、６は中央の前後方向の面を中心に左右対称的に形成されて前後方向の前側となる一端側に蝶番１２、１２の取付部６ａ、６ａが形成されている。
取付部６ａ、６ａ側の上面側に、上方に突出する突部６ｂ、６ｂが形成されて突部６ｂ、６ｂは中央側から周縁側へ下る湾曲面６ｃに形成されている。
即ち突部６ｂ、６ｂは蓋体６、６の中央側が高く、前後左右が低くなるように形成され、且つ突部６ｂ、６ｂの高さは投入口４ａの外壁の面４ｂから上方に突出しないように低く形成されている。
取付部６ａとは反対側の他端側に複数の通水孔６ｄ、６ｄが形成されている。
蓋体６、６の下面の周囲には縁部６ｅ、６ｅが形成されて強度が補足されている。
【００１１】
更に閉じ蓋４には回動式の止め鍵７が軸１４で回動自在に支承され、鍵部７ａは容器本体下側２の段部２ｃに発条１５で付勢されて係止されている。
止め鍵７の上側には解除片７ｂが形成されると共に、解除片７ｂの後側には閉じ蓋４に回動自在に取り付けられたロックツマミ８の一側が係止されている。
容器本体下側２と容器本体上側３の両側の前側の透孔には紐１６、１６′が挿通されて取り手１７が取り付けられ、取り手１７には適宜長さの紐１８の一端が取り付けられて紐１８の他方の端にはベルトの係止具１９が取り付けられ、係止具１９は釣人の腰のベルト等に係止されて流れに引き流して使用される。
【００１２】
容器本体上側３の上部には親指以外の指先が挿入可能で容器本体１が持ち上げ可能な取手３ｃが形成されると共に、閉じ蓋４の魚を投入する投入口４ａの後側の周縁には親指を当てがうことが出来る程度の広さを有する閉じ蓋４側の指の掛止部４ｃが形成されている。
前記取手３ｃと指の掛止部４ｃは蝶番５を挟んだ対応位置に設けられ、取手３ｃと指の掛止部４ｃは同時に片手で掴める程度の位置に設けられている。
更に取手３ｃは容器本体１に水が入った状態で持ち上げることが出来る程度の強度と指が差し込めるように形成されている。
又、閉じ蓋４は指の掛止部４ｃに親指を圧接して閉じ蓋４の開閉を調節出来る。
【００１３】
魚入れ容器が使用される時は、容器本体１を水に浸けると、容器本体上側３と閉じ蓋４との上を水が流れ、流れた水が投入口４ａの上をかすめ、流水の一部は蓋体６、６の複数の通水孔６ｄ、６ｄを通して容器本体１内に流れ、通路３ａを通して容器の後部に排出される。
投入口４ａの上をかすめる流水が複数の通水孔６ｄ、６ｄを通して容器本体１内に流れれば、水流の水圧で蓋体６、６が内側に押されて開くことがない。
【００１４】
前記のように魚入れ容器が構成されると、蓋体６、６は、その上面側に中央側から周縁側へ下る湾曲面を有し、蓋体６、６に当たった水が周縁側に逃げるようになり、しかも、蓋体６、６に複数の通水孔６ｄ、６ｄが設けられ、通水孔６ｄ、６ｄを通して魚入れ容器内に流入するため、蓋体６、６を押圧する力が弱まって蓋体６、６が不用意に開いて、収容した魚が逃げ出すことが防止される。
蓋体６、６の回動可能な一端側に上方へ突出する突部６ｂ、６ｂを設けたため、即ち、蓋体６、６の自由端となる他端側に強い水流が当たると蓋体６、６が開き易くなるため、回動側に水流を弱める突部６ｂ、６ｂを設けて蓋体６、６に当たる水流を弱めることで蓋体６、６が水流によって開いてしまうことが防止される。
蓋体６、６は、閉じたときに投入口４ａより上方に突出しないため投入口４ａの開口に隠れて直接強い水流を受けないため不用意に蓋体６、６が開き難い。
【００１５】
前記説明では、左右一対の蓋体６、６で形成し、それぞれが開閉するように形成したが、これを１つの蓋体で形成し、投入口４ａを開閉可能に閉塞してもよく、また、魚入れ容器を合成樹脂材等で略引き舟状に形成された容器としたが、他の形状の容器としてもよい。
【産業上の利用可能性】
【００１６】
本発明は魚入れ容器全般に利用できる。
【図面の簡単な説明】
【００１７】
【図１】魚入れ容器の平面図である。
【図２】魚入れ容器の蓋体の内側を示す断面正面図である。
【図３】魚入れ容器の要部断面側面図である。
【図４】魚入れ容器の閉じ蓋の拡大平面図である。
【符号の説明】
【００１８】
４ａ  投入口
６  蓋体
６ｂ  突部
６ｄ  通水孔
【図１】
2009000033.tif 000003
【図２】
2009000033.tif 000004
【図３】
2009000033.tif 000005
【図４】
2009000033.tif 000006